(57)【特許請求の範囲】
【請求項１】
頭髪を巻き付けて使用するものであり、通電により発熱がなされる発熱部（３）と、この発熱部（３）の周囲に配位された中空の筒状体であるケーシング（２）とを備えた電熱ロッド（１）において、
上記ケーシング（２）が、内部と外部とを通気可能とする通気部（２２）を備えており、
上記ケーシング（２）の内部には、上記発熱部（３）の熱により蒸発させられる液体（Ｌ）を保つことのできる液体保持部（４）が設けられており、
上記液体保持部（４）が、上記液体（Ｌ）を吸収して保持できる物体である保湿材（４１）を備えており、
上記保湿材（４１）に囲まれるようにして上記発熱部（３）が配位されており、この発熱部（３）の熱により上記保湿材（４１）の液体が蒸発することで生じた蒸気が、上記通気部（２２）から外部に放散するものであり、
上記ケーシング（２）における外周部（２１）が、軸方向の一端から他端まで一体に形成されており、
上記ケーシング（２）における端部（２３）のうち一方（２３ａ）は閉鎖されており、他方（２３ｂ）は上記発熱部（３）をケーシング内に出し入れできるように開口されており、
上記通気部（２２）が、ケーシング（２）の外周部（２１）のうち軸方向の中央寄りには設けられ、同両端寄りには設けられておらず、
上記保湿材（４１）が、上記ケーシング（２）の内周面に接するものであり、上記通気部（２２）を内側から塞ぐようにして配位されたものであり、
上記発熱部（３）は、ヒータを備えた本体部（３１）と蓋部（３２）とを有しており、ケーシング（２）に対して取り外し可能とされており、液体が内部に侵入して通電不良を起こさない程度の液密構造とされており、
上記蓋部（３２）は、上記本体部（３１）の基端側に設けられており、ケーシング（２）に嵌められることによって、ケーシング（２）の開口された端部（２３ｂ）を閉鎖するものであり、
ケーシング（２）の内部において、上記液体保持部（５）と上記発熱部（３）を配位する部分との境界に隔壁を設けたものではなく、
発熱部（３）をケーシング（２）に対して取り付けた状態で、上記発熱部（３）の本体部（３１）の周りを囲むように上記保湿材（４１）が存在するものであることを特徴とする電熱ロッド。
【請求項２】
頭髪を巻き付けて使用するものであり、通電により発熱がなされる発熱部（３）と、この発熱部（３）の周囲に配位された中空の筒状体であるケーシング（２）とを備えた電熱ロッド（１）において、
上記ケーシング（２）が、内部と外部とを通気可能とする通気部（２２）を備えており、
上記ケーシング（２）の内部には、上記発熱部（３）の熱により蒸発させられる液体（Ｌ）を保つことのできる液体保持部（５）が設けられており、
上記液体保持部（５）が、液体は通過不可能であるが気体は通過可能とされた液体遮断部（５１）を備えており、
上記液体保持部（５）の内部に上記発熱部（３）が配位されており、この発熱部（３）の熱により上記液体保持部（５）の液体（Ｌ）が蒸発することで生じた蒸気が、上記液体遮断部（５１）を通って上記通気部（２２）から外部に放散するものであり、
上記ケーシング（２）における外周部（２１）が、軸方向の一端から他端まで一体に形成されており、
上記ケーシング（２）における端部（２３）のうち一方（２３ａ）は閉鎖されており、他方（２３ｂ）は上記発熱部（３）をケーシング内に出し入れできるように開口されており、
上記通気部（２２）が、ケーシング（２）の外周部（２１）のうち軸方向の中央寄りには設けられ、同両端寄りには設けられておらず、
上記液体遮断部（５１）が、上記ケーシング（２）の内周面に接するものであり、上記通気部（２２）を内側から塞ぐようにして配位されたものであり、
上記発熱部（３）は、ヒータを備えた本体部（３１）と蓋部（３２）とを有しており、ケーシング（２）に対して取り外し可能とされており、液体が内部に侵入して通電不良を起こさない程度の液密構造とされており、
上記蓋部（３２）は、上記本体部（３１）の基端側に設けられており、ケーシング（２）に嵌められることによって、ケーシング（２）の開口された端部（２３ｂ）を閉鎖するものであり、
ケーシング（２）の内部において、上記液体保持部（５）と上記発熱部（３）を配位する部分との境界に隔壁を設けたものではなく、
発熱部（３）をケーシング（２）に対して取り付けた状態で、発熱部（３）の周りには液体（Ｌ）が存在するだけであることを特徴とする電熱ロッド。
【請求項３】
上記保湿材（４１）と上記ケーシング（２）の内周面との間に、液体は通過不可能であるが気体は通過可能とされた液体遮断部（５１）を設けたことを特徴とする請求項１記載の電熱ロッド。
【請求項４】
上記保湿材（４１）が、不織布、織地、編地、スポンジ、紙から選択された少なくとも一つであることを特徴とする、請求項１または３に記載の電熱ロッド。
【請求項５】
上記通気部（２２）が、上記ケーシング（２）の外周部（２１）を内外に貫通する貫通孔であり、
上記ケーシング（２）の外部には上記液体（Ｌ）を吸収して保持できる物体である保湿材（４１）が備えられていないことを特徴とする、請求項１〜４のいずれかに記載の電熱ロッド。
【請求項６】
上記通気部（２２）の開口率につき、軸方向の端部よりも中央の方が大きいことを特徴とする、請求項３に記載の電熱ロッド。
【発明の詳細な説明】
【技術分野】
【０００１】
本願発明は、パーマ施術の際に用いられるものであり、頭髪を巻いて使用する電熱ロッドに関するものである。
【背景技術】
【０００２】
【特許文献１】特許第2651048号公報
【特許文献２】特許第2810659号公報
【特許文献３】特許第3069378号公報
【特許文献４】実開平7−36902号公報
【特許文献５】特開平7−51116号公報
【特許文献６】特開平6−90815号公報
【特許文献７】特開平9−75125号公報
【０００３】
従来より美容室などで行われている頭髪のパーマネントウェーブ処理（以下、パーマと記す）において、電熱ロッドを用いるものがある。
【０００４】
このパーマ用の電熱ロッドは、ケーシングに通電により発熱がなされるヒータ等の発熱部を内蔵するものであり、この電熱ロッドに、カーリング剤を塗布した状態の頭髪を巻き付けた後、電熱ロッドを発熱させることにより頭髪にウェーブを形成することができる。
【０００５】
この電熱ロッドは従来から周知であるが、そのうち、例えば特許文献１〜７に記載されたように吸水性のある部材（保湿材）を備えた電熱ロッドが存在する。この保湿材に水分を含ませた電熱ロッドを用いてパーマの施術を行うことにより、保湿材に含まれた水分が発熱部の熱により蒸発して蒸気となり、この蒸気を頭髪に当てることができるため、わざわざ霧吹きやスチーマーなど別途用いなくても、発熱部の熱により頭髪に与えるダメージを低減することができる。
【発明の開示】
【発明が解決しようとする課題】
【０００６】
しかしながら、上記の各特許文献にも示されているように、このタイプの電熱ロッドにおける保湿材はケーシングの外側に取り付けられていた。
【０００７】
そのため、露出した状態にある保湿材にカーリング剤が付着してしまい汚れやすいという問題があった。よって、カーリング剤などで汚れた保湿材を、汚れる度に洗浄するという手間がかかったり、あるいは保湿材に直接頭髪が触れないように布などの通気性のあるカバーで保湿材を覆って施術する必要があり不便であった。そして、この電熱ロッドの使用が長期にわたると、保湿材にケバ立ちなどの破損が発生しやすく、こうなると頭髪が保湿材にからみつく恐れが出てくるため、もはやその電熱ロッドは使用できなくなる。
【０００８】
なお、上記の問題に着目したものとして、例えば特許文献６に記載の発明がある。これは、保湿材を熱収縮シートによりケーシングに保持したものであって、保湿材は取り換え可能とされている。しかしながらこの構成であっても、熱収縮シートというケーシングに比べて経年劣化しやすい部材が更に加わるという問題がある。また、保湿材及び熱収縮シートとケーシングとの間に段差ができてしまい、この段差に頭髪が引っ掛かる可能性がある。
【０００９】
本願発明は上記の問題に鑑みてなされたものであり、保湿材を長持ちさせることができ、頭髪が引っ掛かってしまう構造ではない電熱ロッドを提供することを課題とする。また、長持ちする電熱ロッドを提供することを課題とする。
【課題を解決するための手段】
【００１０】
上記課題を解決するために、本願の請求項１に係る発明は、
頭髪を巻き付けて使用するものであり、通電により発熱がなされる発熱部３と、この発熱部３の周囲に配位された中空の筒状体であるケーシング２とを備えた電熱ロッド１において、
上記ケーシング２が、内部と外部とを通気可能とする通気部２２を備えており、
上記ケーシング２の内部には、上記発熱部３の熱により蒸発させられる液体Ｌを保つことのできる液体保持部４が設けられており、
上記液体保持部４が、上記液体Ｌを吸収して保持できる物体である保湿材４１を備えており、
上記保湿材４１に囲まれるようにして上記発熱部３が配位されており、この発熱部３の熱により上記保湿材４１の液体が蒸発することで生じた蒸気が、上記通気部２２から外部に放散するものであり、
上記ケーシング２における外周部２１が、軸方向の一端から他端まで一体に形成されており、
上記ケーシング２における端部２３のうち一方２３ａは閉鎖されており、他方２３ｂは上記発熱部３をケーシング内に出し入れできるように開口されており、
上記通気部２２が、ケーシング２の外周部２１のうち軸方向の中央寄りには設けられ、同両端寄りには設けられておらず、
上記保湿材４１が、上記ケーシング２の内周面に接するものであり、上記通気部２２を内側から塞ぐようにして配位されたものであり、
上記発熱部３は、ヒータを備えた本体部３１と蓋部３２とを有しており、ケーシング２に対して取り外し可能とされており、液体が内部に侵入して通電不良を起こさない程度の液密構造とされており、
上記蓋部３２は、上記本体部３１の基端側に設けられており、ケーシング２に嵌められることによって、ケーシング２の開口された端部２３ｂを閉鎖するものであり、
ケーシング２の内部において、上記液体保持部５と上記発熱部３を配位する部分との境界に隔壁を設けたものではなく、
発熱部３をケーシング２に対して取り付けた状態で、上記発熱部３の本体部３１の周りを囲むように上記保湿材４１が存在するものであることを特徴とする電熱ロッドを提供する。
【００１１】
本願の請求項２に係る発明は、
頭髪を巻き付けて使用するものであり、通電により発熱がなされる発熱部３と、この発熱部３の周囲に配位された中空の筒状体であるケーシング２とを備えた電熱ロッド１において、
上記ケーシング２が、内部と外部とを通気可能とする通気部２２を備えており、
上記ケーシング２の内部には、上記発熱部３の熱により蒸発させられる液体Ｌを保つことのできる液体保持部５が設けられており、
上記液体保持部５が、液体は通過不可能であるが気体は通過可能とされた液体遮断部５１を備えており、
上記液体保持部５の内部に上記発熱部３が配位されており、この発熱部３の熱により上記液体保持部５の液体Ｌが蒸発することで生じた蒸気が、上記液体遮断部５１を通って上記通気部２２から外部に放散するものであり、
上記ケーシング２における外周部２１が、軸方向の一端から他端まで一体に形成されており、
上記ケーシング２における端部２３のうち一方２３ａは閉鎖されており、他方２３ｂは上記発熱部３をケーシング内に出し入れできるように開口されており、
上記通気部２２が、ケーシング２の外周部２１のうち軸方向の中央寄りには設けられ、同両端寄りには設けられておらず、
上記液体遮断部５１が、上記ケーシング２の内周面に接するものであり、上記通気部２２を内側から塞ぐようにして配位されたものであり、
上記発熱部３は、ヒータを備えた本体部３１と蓋部３２とを有しており、ケーシング２に対して取り外し可能とされており、液体が内部に侵入して通電不良を起こさない程度の液密構造とされており、
上記蓋部３２は、上記本体部３１の基端側に設けられており、ケーシング２に嵌められることによって、ケーシング２の開口された端部２３ｂを閉鎖するものであり、
ケーシング２の内部において、上記液体保持部５と上記発熱部３を配位する部分との境界に隔壁を設けたものではなく、
発熱部３をケーシング２に対して取り付けた状態で、発熱部３の周りには液体Ｌが存在するだけであることを特徴とする電熱ロッドを提供する。
【００１２】
本願の請求項３に係る発明は、
上記保湿材４１と上記ケーシング２の内周面との間に、液体は通過不可能であるが気体は通過可能とされた液体遮断部５１を設けたことを特徴とする請求項１記載の電熱ロッドを提供する。
【００１３】
そして本願の請求項４に係る発明は、上記保湿材４１が、不織布、織地、編地、スポンジ、紙から選択された少なくとも一つであることを特徴とする、請求項１または３に記載の電熱ロッドを提供する。
【００１４】
そして本願の請求項５に係る発明は、上記通気部２２が、上記ケーシング２の外周部２１を内外に貫通する貫通孔であり、上記ケーシング２の外部には上記液体Ｌを吸収して保持できる物体である保湿材４１が備えられていないことを特徴とする、請求項１〜４のいずれかに記載の電熱ロッドを提供する。
【００１５】
そして本願の請求項６に係る発明は、上記通気部２２の開口率につき、軸方向の端部よりも中央の方が大きいことを特徴とする、請求項３に記載の電熱ロッドを提供する。
【発明の効果】
【００１６】
本願発明は、液体保持部４がケーシング２の内部に設けられたことから、液体保持部４の保湿材４１を長持ちさせることができる。また、電熱ロッド１に保湿材自体を用いない液体保持部５を設けることによって、電熱ロッド１から早期に汚損、破損あるいは劣化しやすい部材を低減でき、これにより、従来よりも長持ちする電熱ロッドを提供できる。
【００１７】
さらに、ケーシング２における外周部２１が、軸方向の一端から他端まで一体に形成されており、ケーシング２の外部に段差などが発生しないものとできるため、頭髪が引っ掛かってしまうようなこともない。そして、保湿材４１あるいは液体遮断部５がケーシング２の内周面に接するものであることから、ケーシング内部に異物が混入することがない。
【００１８】
さらに、ケーシング２内で発生した蒸気が通気部２２を通って外部へ放散することで、電熱ロッド１に巻き付けられる頭髪の量や状態に応じて、通気部２２の開口率を設計することができる。例えば、ロッドに巻回される頭髪の量は、ケーシング２の軸方向の中央が多く、両端の方が少なくなる。ここで、本願の請求項６に係る発明にあっては、上記通気部２２の開口率につき、軸方向の端部よりも中央の方を大きくすることにより、中央には両端より多量の蒸気を送るようにでき、これにより、頭髪１本毎に与えられる蒸気の量を、均一に近づけることができる。
【発明を実施するための最良の形態】
【００１９】
以下、図面を参照しつつ、本願発明の好ましい実施の形態について説明する。図１は電熱ロッドをパーマ装置にて使用する際の状態を示す。図２は電熱ロッドを示す。図３は第１実施例に係る電熱ロッドの構造を示す。図４は第２実施例に係る電熱ロッドの構造を示す。
【００２０】
図１に示すように、このパーマ装置は、交流電源（図示せず）を内蔵した操作制御部Ｍと、この操作制御部Ｍに接続された多数の電気ケーブルＣと、各電気ケーブルＣの先端に接続された電源供給用のコネクタ（図示せず）と、このコネクタと着脱自在に接続されて被施術者Ｓの頭髪に巻かれる多数の電熱ロッド１とを備える。なお、上記の電気ケーブルＣや電熱ロッド１の「多数」とは、複数であり、特に１０本以上という意味である。
【００２１】
まず、電熱ロッド１の第１実施例について説明する。この例における電熱ロッド１は、図３に示すように、ケーシング２と発熱部３、そして液体保持部４を有している。
【００２２】
この例のケーシング２は図２に示すような略円筒状、より詳しく述べると、横断面形状が円形であり、縦断面形状が図３（Ａ）に示すように中心軸（一点鎖線で図示）に対して対称な関係にある放物線により規定され、向かい合う上記放物線の一組につき、軸方向の中央寄り部分の方が両端寄り部分に比べて近接した形状（軸方向の中央寄り部分がくびれた形状）とされた筒状体である。図３に示すように、このケーシング２における外周部２１が、軸方向の一端から他端まで一体に形成されている。そして、このケーシング２における端部２３のうち一方の下側端部２３ａは閉鎖されており、同他方の上側端部２３ｂは、図３（Ｂ）に示す発熱部３をケーシング２内に出し入れできるように開口されている。
【００２３】
なお、上記の「外周部」とは、本願においては略円筒状体の中心軸を囲む面、つまり、この中心軸を中心とした円が集合してなる面を有する部分を指し、軸方向における端面を含むものではない。一方、上記の「端部」とは、軸方向における端面を含む部分を指す。
【００２４】
このケーシング２が、内部と外部とを通気可能とする通気部２２を備えている。この通気部２２は、この例では図２及び図３に示すような、ケーシング２の外周部２１を内外に貫通する貫通孔である。この例における貫通孔はケーシング２の外周部２１に全周にわたり規則的に並べられた多数の円形孔とされているが、これに限らず、孔の集まりが密な部分と疎な部分を設けたり、孔の寸法に大小を設けても良い。特に、この通気部２２の開口率につき、ケーシング２の軸方向の端部よりも中央の方を大きくすることにより、中央には両端より多量の蒸気を送るようにすることも望ましい。一般にロッドには、中央部の方が端部よりも多量の毛が巻かれる傾向にあるため、頭髪１本毎に与えられる蒸気の量を、均一に近づけることができる。なお、この開口率は、多段階に変化させてもよいが、開口率が大きい部分と小さい部分との最低２段階あればよい。また、孔の形状についても円形に限られるものではなく、楕円形、長円形、多角形、スリット状など種々の形状であっても良い。更に、通気部２２を網目状や格子状とされたうちの空間部分としても良い。
【００２５】
上記通気部２２は、ケーシング２の外周部分のうち軸方向の中央寄りには設けられ、同両端寄りには設けられていない。そして、ケーシング２の外部には後述の保湿材４１が備えられておらず、これにより、上記外周部２１のうち軸方向の中央寄りと同両端寄りとの間に段差が発生しない。このように、特許文献６に記載の発明とは異なり、この例のケーシング２には頭髪が引っ掛かる可能性のある段差を設ける必要がないため、パーマ施術を受ける者に不快感を与えることがない。
【００２６】
なお、本願発明のケーシング２はこの例のような筒状体に限られるものではなく、発熱部３を内部に収納できる中空体であれば良い。よって、球状、卵状、環状などの形状でも実施し得る。ただし、外周部２１に頭髪を巻きやすい形状とすることが望ましい。
【００２７】
また外周部２１に、上記のようにパーマ施術を受ける者に不快感を与えるような頭髪の引っ掛かりが起きない程度の凹凸を形成したり、外周部２１の外側をゴムなどの樹脂でコーティングしたりすることにより、外周部２１と頭髪との間の摩擦を大きくし、頭髪を滑らずに巻いていくことができるものとしても良い。
【００２８】
発熱部３は、通電により発熱がなされるものであり、外部から供給された電力により自ら発熱する電気ヒータが内蔵されたものが最も一般的であるが、その他に、電磁誘導によって加熱されるものであっても良い。この場合、ケーシング２の内部に配位される発熱部３は単なる金属棒や金属筒としておけば良く、発熱部の外部に設けられたコイルなどから発生する磁界により発熱部３が発熱させられる。
【００２９】
この例の発熱部３は、ケーシング２に対して取り外し可能とされており、本体部３１、蓋部３２、給電コネクター３３を有している。この発熱部３は、保湿材４に保たれている液体Ｌが内部に侵入して通電不良を起こさない程度の液密構造とされている。
【００３０】
本体部３１は、内部にフィルムヒーターやコイルなどの発熱部、及び温度センサーあるいはヒューズが設けられた円筒状の部分である。給電コネクター３３は、本体部３１の内部に設けられた発熱部に外部から電力を供給するための電気接点である。
【００３１】
蓋部３２は本体部３１の基端側（図示上端）に設けられている円板状の部分であり、ケーシング２に嵌められることによって、ケーシング２の開放された上側端部２３ｂを閉鎖することができる。この閉鎖の際におけるケーシング２と蓋部３２の間は、単に当接しているだけでも良いし、ケーシング２の内面と蓋部３２の外周にねじ山を設けておき、ねじ込みによって両者が結合するものであっても良い。なお、上記のねじ込みによる結合に限らず、種々の嵌合構造によって結合がされるものであっても良い。また、この蓋部３２に防水パッキンを設けても良い（図４参照）。なお、上記のようにケーシング２と蓋部３２との間を単に当接させるだけとした場合は、ケーシング２から発熱部３が容易に抜け落ちてしまわないようにするために、後述する保湿材４の内径を本体部３１の外径よりやや小さくしておき、保湿材４によって本体部３１が挟まれるようにする。
【００３２】
液体保持部４は、ケーシング２の内部にて発熱部３の熱により蒸発させられる液体Ｌを保つことのできる部分である。この例の液体保持部４は、液体Ｌを吸収して保持できる物体である保湿材４１を備えている。発熱部３は、図３（Ｃ）に示すように、ケーシング２の内部に筒状に設けられた保湿材４１の内部に、直接接するように設けられる。この保湿材４１は、吸湿性を有する材料、例えば不織布、織地、編地、スポンジ、紙から選択された少なくとも一つであり、保湿材４１を構成する繊維や微小な空洞などに液体Ｌを保持することにより液体Ｌを吸収できる材料であれば、上記に例示したもの以外の材料も採用できる。ただし、この保湿材４１は発熱部３の熱を受ける部材であることから、耐熱性に劣る材料の適用は、本願発明においては可能ではあるものの、電熱ロッド１が短期で使用不能となってしまうため、できるだけ避けるべきである。
【００３３】
従来のように保湿材がケーシングの外部に設けられていたものと比べ、本願発明では、液体保持部４の保湿材４１がケーシング２の内部に設けられたことから、保湿材４１にカーリング剤が直接付着する可能性を低減することができ、保湿材４１を洗浄する手間もかからず、保湿材４１を長持ちさせることができる。また、電熱ロッド１にカバーをかけて使用する必要もなく、パーマ施術を簡単に行うことができる。
【００３４】
この保湿材４１に保持される液体Ｌは、この例では水（水道水などの一般的な真水）であるが、その他、頭髪を保護すること等を目的とした薬効成分を含む溶液など、発熱部３の熱により蒸気となる液体であれば、水以外の液体であっても良い。
【００３５】
この例における保湿材４１は、ケーシング２の内周面に接するものであり、上記の通気部２２を内側から塞ぐようにして配位されている。これにより、ケーシング２の内周面と保湿材４１との間に隙間がないため、ケーシング２の内部に異物が混入することがない。
【００３６】
この例の保湿材４１に液体Ｌを吸収させるには、図３（Ａ）に示すように、電熱部３が切り離された状態とされたケーシング２を、図５（Ａ）に示すように液体Ｌを張った水槽Ｔに沈める。水槽Ｔについては、例えば洗髪ボウル、バット、洗面器、バケツなど液体Ｌをケーシング２が浸る程度の深さに貯めることができるものなら、種々のものが利用できる。なお、図示ではケーシング２が横倒しの状態とされているが、水槽Ｔに対してケーシング２をどのような角度に置いても良い。
【００３７】
このように水槽Ｔの内部にケーシング２を置くと、通気部２２及びケーシング２の上側端部２３ｂから矢印で図示したように液体Ｌが流入し、保湿材４１に液体Ｌを吸収させることができる。なお、上記のように水槽Ｔを用いずに、外気に露出させた状態の保湿材４１にスポイドやポンプなどを用いて液体Ｌを振り掛けることにより、液体Ｌを吸収させても良い。
【００３８】
上記のようにして保湿材４１に液体Ｌを吸収させた後、図３（Ｃ）に示すように、ケーシング２に発熱部３を取り付ける。そして、このように液体Ｌが内部に保持された電熱ロッド１にパーマ施術を受ける者の頭髪を巻き付ける。その後、電熱ロッド１から露出している給電コネクター３３に電気ケーブルＣを接続して図１に示す状態とする。この状態で各電熱ロッド１に給電することにより発熱部３が加熱される。液体Ｌが水である場合は、保湿材４１に含まれた水分が発熱部の熱により蒸発して水蒸気となり通気部２２から外部に放散する。この水蒸気を電熱ロッド１に巻きつけられた頭髪に当てることができるため、加熱により頭髪に与えるダメージを低減することができる。また、液体Ｌが水以外の溶液である場合、溶液中の成分に応じ、頭髪の保護や薬効などを発揮することができる。
【００３９】
次に、電熱ロッド１の第２実施例について説明する。なお、上記第１実施例と同一の部分には同一の符号を付して説明する。この例における電熱ロッド１は、図４に示すように、ケーシング２と発熱部３、そして液体保持部５を有している。
【００４０】
この例におけるケーシング２の内部には、第１実施例と同様に液体保持部５が設けられている。ただしこの液体保持部５は、第１実施例の液体保持部４と同じく、発熱部３の熱により蒸発させられる液体Ｌを保つことのできる部分ではあるものの、第１実施例の液体保持部４における保湿材４１が吸湿性を有する材料であり、この保湿材４１に液体Ｌを染み込ませた状態として用いるのに対し、この例における液体保持部５は、液体Ｌを液体の状態のままケーシング内に保持する点で異なっている。
【００４１】
一方、ケーシング２の内部には、第１実施例と同じく発熱部３が配位されており、この発熱部３の熱により上記液体保持部５の液体Ｌが蒸発することで生じた蒸気が、上記液体遮断部５１を通って通気部２２から外部に放散する。この例においては、液体の状態である液体Ｌに発熱部３が直接接触することとなる。ただし、ケーシング２の内部において、液体保持部５と発熱部３を配位する部分との境界に、発熱部３の熱を液体保持部５に伝達可能な物質によって形成された隔壁を設けても良い。
【００４２】
なお、第１実施例では、発熱部３の周りを囲むように保湿材４１が存在しており、ケーシング２の内部における発熱部３の位置は、保湿材４１によって定まるものであった。一方この例では、発熱部３の周りには液体Ｌが存在するだけであるため、ケーシング２の内部における発熱部３の位置を液体保持部５だけでは定めることができない。よって、図４（Ａ）に示すように、この例におけるケーシング２の下側端部２３ａの内側には凹部２４が設けられている。ケーシング２に発熱部３が取り付けられた際には、図４（Ｃ）に示すように、この凹部２４に発熱部３における本体部３１の下端が嵌まることで発熱部３の位置が定まる。
【００４３】
液体保持部５は、液体は通過不可能であるが気体は通過可能とされた液体遮断部５１を備えているもので、かつ、ケーシング２と発熱体３との間が液密に組み合わされたことにより、液体Ｌが電熱ロッド１の外部に漏れないようにされている。
【００４４】
液体遮断部５１は、この例では多孔質のシート状体であり、設けられた微小な孔が、気体（水蒸気）のみを通し、液体(水）を通さない大きさとされている。材質としてはポリテトラフルオロエチレンが例示できるが、これに限らず、上記のように気体のみを選択して透過できる材質であれば種々のものを用いることができる。
【００４５】
この液体遮断部５１は、上記の保湿材４１と同じく、図４（Ａ）に示すように、ケーシング２の内周面に接するものであり、上記の通気部２２を内側から塞ぐようにして配位されている。つまり、ケーシング２の内周面と液体遮断部５１との間に隙間がないため、ケーシング２の内部に異物が混入することがない。
【００４６】
この例では、液体遮断部５１をケーシング２の内周面に接するシート状体としたが、これに限られず、通気部２２毎に、通気部２２の貫通孔を埋めるようにして液体遮断部５１を配位しても良い。
【００４７】
そして、この例における発熱部３の蓋部３２には防水パッキン３４が設けられており、この防水パッキン３４がケーシング２の内面に密着する。この例における防水パッキン３４はゴム製とされているがその他の材質であっても良い。また、この防水パッキン３４は必須のものではなく、例えば、ケーシング２の内面と蓋部３２の外周にねじ山を設けておき、ねじ込みによって両者が液密に結合される構造であっても良い。
【００４８】
上記の構造から、図４（Ｃ）に示すように、ケーシング２に発熱部３が取り付けられた状態においては、液体保持部５の下方には下側端面２３ａが、側方には液体遮断部５１が、上方には発熱部３の蓋部３２及び防水パッキン３４が各々配位される。これにより、液体保持部５に保持された液体Ｌは液体保持部５に完全に閉じ込められ、液体の状態のままでは電熱ロッド１の外部に漏れ出すことがない。
【００４９】
この例の液体保持部５に液体Ｌを入れるには、第１実施例と同様、図４（Ａ）に示すように、電熱部３が切り離された状態とされたケーシング２を、図５（Ｂ）に示すように液体Ｌを張った水槽Ｔに沈める。なお、図示ではケーシング２が横倒しの状態とされているが、この例にあっても、水槽Ｔに対してケーシング２をどのような角度に置いても良い。
【００５０】
このように水槽Ｔの内部にケーシング２を置くと、ケーシング２の上側端部２３ｂから矢印で図示したように液体Ｌが流入し、液体保持部５に液体Ｌを満たすことができる。ただし、通気部２２については液体遮断部５１で塞がれているため、第１実施例とは異なり、通気部２２から液体Ｌが流入することがない。なお、上記のように水槽Ｔを用いずに、外気に露出させたケーシング２の液体保持部５にスポイドやポンプなどを用いて液体Ｌを注入しても良い。
【００５１】
上記のようにして液体保持部５に液体Ｌを入れた後、図４（Ｃ）に示すように、ケーシング２に電熱部３を取り付ける。その後の施術手順は第１実施例と同じであるため、以下の記載を省略する。
【００５２】
ただし、第１実施例の電熱ロッド１では、保湿材４１に液体Ｌを過剰に含ませた際など、場合によっては通気部２２から液体Ｌの一部が外部に漏れ出す可能性があるが、この例では、液体遮断部５１によって通気部２２が塞がれているため液体Ｌの漏れは起こり得ない。よって、周囲を漏れた液体Ｌで汚してしまうこともなく、使い勝手の良い電熱ロッド１を提供できる。なお、第１実施例の電熱ロッド１において、保湿材４１とケーシング２の内周面との間にこの例と同様の液体遮断部５１を設けて実施するようにしてもよい。
【図面の簡単な説明】
【００５３】
【図１】本願の実施の形態に係る電熱ロッドを用いたパーマ装置の使用状態を示す全体斜視図である。
【図２】本願の実施の形態に係る電熱ロッドの斜視図である。
【図３】本願の第１実施例に係る電熱ロッドを示し、（Ａ）はケーシングを示す縦断面図、（Ｂ）は電熱部を示す正面図、（Ｃ）は電熱ロッド全体の一部縦断面図である。
【図４】本願の第２実施例に係る電熱ロッドを示し、（Ａ）はケーシングを示す縦断面図、（Ｂ）は電熱部を示す正面図、（Ｃ）は電熱ロッド全体の一部縦断面図である。
【図５】本願の実施の形態に係る電熱ロッドに液体を含ませる要領を示す概略図であり、（Ａ）は第１実施例に係る電熱ロッドを示し、（Ｂ）は第２実施例に係る電熱ロッドを示す。
【符号の説明】
【００５４】
１      電熱ロッド
２      ケーシング
２１    外周部
２２    通気部
２３    端部
２３ａ    (一方の）端部、下側端部
２３ｂ    (他方の）端部、上側端部
３      発熱部
４      液体保持部
４１    保湿材
５      液体保持部
５１    液体遮断部
Ｌ      液体
【図１】
0004590441.tif 000002
【図２】
0004590441.tif 000003
【図３】
0004590441.tif 000004
【図４】
0004590441.tif 000005
【図５】
0004590441.tif 000006